(57)【要約】【課題】夜間或いは暗所監視用の赤外線照射器を備えた電源重畳型監視カメラにおいて、カメラ部での電力消費を抑えた電源重畳型監視カメラを提供する。【解決手段】電源重畳型監視カメラは、カメラ部と、カメラ部に電源を供給する電源部と、カメラ部と電源部とを接続するケーブルとから構成されている。カメラ部には、夜間或いは暗所での撮影を可能にするための赤外線照射器が設けられ、赤外線照射器を定電流回路を介して駆動するように構成したことを特徴とする。【選択図】図１
2009194810.tif 000002
【特許請求の範囲】
【請求項１】
カメラ部と、赤外線照射器と、前記カメラ部と前記赤外線照射器とに電源を供給する電源部と、前記カメラ部及び前記赤外線照射器と電源部とを接続するケーブルとからなる電源重畳型監視カメラにおいて、
前記赤外線照射器を定電流回路を介して駆動するように構成したことを特徴とする電源重畳型監視カメラ。
【発明の詳細な説明】
【技術分野】
【０００１】
本発明は、電源重畳型監視カメラ（ケーブルカメラともいう）に係わり、特に、夜間或いは暗所での撮影を可能にするための赤外線照射器を具備した電源重畳型監視カメラにおいて、省電力化した電源重畳型監視カメラに関する。
【背景技術】
【０００２】
従来用いられていた電源重畳型監視カメラの構成を図３、図４に基づき説明する。
従来の電源重畳型監視カメラは、カメラ部１と、カメラ部１に電源を供給する電源部２と、カメラ部１と電源部２とを接続するケーブル３とからなり、カメラ部１は、撮影した映像の映像信号や同期信号を生成するカメラモジュール１１と、ケーブル３に重畳された電源部２から供給される電力をカメラモジュール１１に供給するために、ケーブル３上の交流分を除去し、直流分のみを取り出す直流分離回路１２と、直流分離回路１２の出力電圧を所定の電圧にしてカメラモジュール１１に印加する定電圧回路１３と、暗い夜間或いは暗所監視用に用いられる赤外線照射器１４と、直流分離回路１２の出力電圧を所定の電圧にして赤外線照射器１４に印加する定電圧回路１５とで構成している。
【０００３】
一方、電源部２は、電源回路２１と、電源回路２１の出力する直流電力をケーブル３に重畳するための直流重畳回路２２とから構成され、直流重畳回路２２は、ケーブル３上の映像信号を外部機器に取り出すように構成している。
【０００４】
図４は、従来の赤外線照射器１４の構成を示す回路図であり、赤外線照射器１４は、三つの赤外線ＬＥＤが並列に接続されたブロックが６個直列に接続され、更に、電流調整用抵抗器が直列に接続された構成になっている。そして、電流調整用抵抗器で、赤外線ＬＥＤには、それぞれ５０ｍＡの電流が流れるように調整している。従って、電流調整用抵抗器には１５０ｍＡの電流が流れる。
【０００５】
このように構成した電源重畳型監視カメラにおいて、電源回路２１の直流出力は、直流重畳回路２２、ケーブル３、カメラ部１の直流分離回路１２、定電圧回路１３を介して、カメラモジュール１１に供給され、カメラ部１が動作可能になる。
【０００６】
更に、電源回路２１の直流出力は、直流分離回路１２、定電圧回路１５を介して、赤外線照射器１４に供給され、赤外線照射器１４が赤外線を出力する。
図３に示した従来の電源重畳型監視カメラでは、電源部２から供給される電圧をカメラ部１の定電圧回路１３、１５でそれぞれ所定の低い電圧に降下させなければならず、このため、定電圧回路１３、１５では大きな電力ロスが発生することになる。
【０００７】
ことに、遠くまで赤外線を照射するために、赤外線照射器１４を強力にした場合、赤外線照射器１４に流れ込む電流が大きくなり、定電圧回路１５における電力ロスは非常に大きくなる。そして、ロスが大きくなれば、定電圧回路１５に大型の放熱器が必要になり、コストが上昇する。
【０００８】
更に、カメラ部１が密閉構造であり、赤外線照射器１４がカメラ部１に一体に組み込まれたような構造の場合、放熱のために特別な構造を工夫しなければならない等、多くの欠点があった。
【０００９】
又、カメラ部１の消費電力が増加すると、ケーブル３の電力ロスが増加するために、カメラ部１と電源部１との距離を小さくする必要があり、カメラ部１及び電源部１のそれぞれの設置位置が制限されるという欠点があった。
更に、消費電流が大きくなると、システムのインピーダンスが低くなり、伝送される映像信号に悪影響を及ぼすという問題もあった。
【発明の開示】
【発明が解決しようとする課題】
【００１０】
本発明は、上記した点に鑑みてなされたものであり、その目的とするところは、カメラ部での電力消費を抑えて、コストダウンを図った新規な電源重畳型監視カメラを提供するものである。
更に、本発明の他の目的は、カメラ部と電源部との設置位置の自由度を増して、遠距離での監視を可能にした新規な電源重畳型監視カメラを提供するものである。
【課題を解決するための手段】
【００１１】
本発明は、上記した目的を達成するために、基本的には、以下に記載されたような技術構成を採用するものである。
即ち、本発明に係わる電源重畳型監視の態様は、
カメラ部と、赤外線照射器と、前記カメラ部と前記赤外線照射器とに電源を供給する電源部と、前記カメラ部及び前記赤外線照射器と電源部とを接続するケーブルとからなる電源重畳型監視カメラにおいて、
前記赤外線照射器を定電流回路を介して駆動するように構成したことを特徴とするものである。
【発明の効果】
【００１２】
本発明の電源重畳型監視カメラは、上記のように構成したので、カメラ部と電源部との距離が比較的小さく、カメラ部へ比較的高い電圧が加わるような場合でも、カメラ部に必要以上の電流が流れず、従って、電力ロスは最小限に抑えられる。従って、カメラ部内外の放熱構造を簡単にすることが可能になる。
【００１３】
又、ケーブルの電力ロスも小さくなるので、カメラ部と電源部の距離を大きくすることも可能であり、カメラ部と電源部との設置位置の自由度が向上し、又、より遠くまで映像信号を送ることが可能な使い勝手の良いシステムを構築できる。
【発明を実施するための最良の形態】
【００１４】
本発明の実施例を図１、２を用いて説明する。
なお、従来例と同一の機能を有する同一部分については、同一の符号を付して、その説明を省略する。
本発明は、赤外線照射器１４を定電流回路１０を介して駆動するように構成した点を除いて、従来例の構成との差異はない。
【００１５】
次に、本発明の消費電力の削減効果について、具体的な例を挙げて説明する。
なお、本発明では、従来例で用いていた定電圧回路１５を定電流回路１０に変更したことに伴い、本発明の赤外線照射器１４の光量を、図４の従来例の赤外線照射器１４の光量と同じにするために、図２に示したように変更してある。
【００１６】
即ち、本発明の赤外線照射器１４は、図２に示したとおり、二つの赤外線ＬＥＤが並列に接続されたブロックが９個直列に接続され、更に、安全抵抗器が直列に接続された構成になっている。そして、赤外線ＬＥＤは、定電流回路１０を介して駆動されるので、それぞれの赤外線ＬＥＤに５０ｍＡの電流が流れるようになっている。
【００１７】
従って、図４の赤外線照射器の赤外線ＬＥＤの数と図２の赤外線照射器の赤外線ＬＥＤの数は、共に１８個であり、各赤外線ＬＥＤに５０ｍＡの電流が流れるようになっているから、両者に光量の差はない。
【００１８】
なお、本発明と従来例のカメラモジュール１１及び定電圧回路１２の消費電力は、それぞれ、１．８Ｗ、１．０５Ｗである。
はじめに、図１に示した本発明の回路構成の消費電力について説明する。
なお、以下の説明では、ケーブル３の抵抗値は、０Ωとして計算する。
【００１９】
赤外線照射器１４の消費電力＝（印加電圧１５Ｖ）×（電流値１００ｍＡ）＝１．５Ｗ
定電流回路１０の消費電力＝｛（電源回路２１の出力電圧２０Ｖ）−（直流分離回路２２の電圧降下１Ｖ）−（赤外線照射器１４の印加電圧１５Ｖ）｝×１００ｍＡ＝０．４Ｗ
【００２０】
従って、本発明の赤外線照射器１４に関わる全消費電力Ｐ１は、
Ｐ１＝（赤外線照射器１４の消費電力）＋（定電流回路１０の消費電力）
＝１．５Ｗ＋０．４Ｗ＝１．９Ｗである。
【００２１】
これに対して、図３の従来例の回路構成の消費電力は、以下の通りである。
赤外線照射器１４の消費電力＝（印加電圧１２Ｖ）×（電流値１５０ｍＡ）＝１．８Ｗ
定電圧回路１５の消費電力＝｛（電源回路２１の出力電圧２０Ｖ）−（直流分離回路２２の電圧降下１Ｖ）−（赤外線照射器１４の印加電圧１２Ｖ）｝×１５０ｍＡ＝１．０５Ｗ
【００２２】
従って、従来例の赤外線照射器１４に関わる全消費電力Ｐ２は、
Ｐ２＝（赤外線照射器１４の消費電力）＋（定電圧回路１５の消費電力）
＝１．８Ｗ＋１．０５Ｗ＝２．８５Ｗであり、本発明の構成を採用することによりにより、消費電力を従来例の構成に対して、約２／３に低減している。
【００２３】
なお、実際には、ケーブル３の抵抗は、無視出来ないので、カメラ部１の消費電力が大きくなればなるほど、ケーブルの電圧降下も大きくなる。従って、消費電力が小さいほど、より遠くまで映像信号を送ることが可能なシステムを構築できることになる。
【００２４】
又、赤外線照射器１４と同様に、カメラモジュール１１を定電流回路で駆動するように構成しても良い。
又、カメラモジュール１１と赤外線照射器１４とは、一体に形成しても良いし、別体に構成しても良い。
【図面の簡単な説明】
【００２５】
【図１】本発明の実施例の構成を示すブロック図である。
【図２】本発明の赤外線照射器の構成を示す回路図である。
【図３】従来例の構成を示すブロック図である。
【図４】従来例の赤外線照射器の構成を示す回路図である。
【符号の説明】
【００２６】
１  カメラ部
２  電源部
３  ケーブル
１０  定電流回路
１１  カメラモジュール
１２  直流分離回路
１３、１５  定電圧回路
１４  赤外線照射器
２１  電源回路
２２  直流重畳回路
【図１】
2009194810.tif 000003
【図２】
2009194810.tif 000004
【図３】
2009194810.tif 000005
【図４】
2009194810.tif 000006